(57)【要約】      （修正有）【課題】毛髪を所望の間隔ごとに切断できる治具を提供する。【解決手段】毛髪を切断する時に、毛髪を固定するための毛髪固定治具であって、歯および被固定領域を有する複数の櫛２０と、櫛が連結される、第１の孔またはスリットが形成されている第１部材１０と、固定具５０と、櫛の歯が挿入される第２の孔が形成され、櫛と対になって毛髪を固定する第２部材３０とを備える。毛髪Ｈを保持した櫛を毛髪固定部に挿入することで、毛髪は、櫛と毛髪固定部とに挟まれて固定される。固定された毛髪は、櫛が櫛間隔調整部１０に固定された間隔に従って切断される。【選択図】図６
2020058514.tif 000002
【特許請求の範囲】
【請求項１】
人の毛髪を切断するために、前記毛髪を固定する毛髪固定治具であって、
複数の歯を有する複数の櫛と、
前記複数の櫛が一方向に配列するように連結される第１部材と、
前記第１部材に対して前記複数の櫛を固定する固定具とを備え、
前記第１部材には、前記固定具が挿入される第１の孔またはスリットが形成されており、
前記複数の櫛のそれぞれは、前記固定具によって固定される被固定領域を有しており、
前記複数の櫛のそれぞれと対になり前記毛髪を固定する第２部材をさらに備え、
前記第２部材には、前記櫛の前記複数の歯のそれぞれが挿入される複数の第２の孔が形成されていることを特徴とする毛髪固定治具。
【請求項２】
前記第１部材は、前記複数の櫛を配置する間隔を示す印を備えることを特徴とする、請求項１に記載の毛髪固定治具。
【請求項３】
前記印は、目盛であることを特徴とする、請求項２に記載の毛髪固定治具。
【請求項４】
前記第１の孔は、前記一方向に沿って、所定の間隔で複数形成されていることを特徴とする、請求項１から３のいずれか一項に記載の毛髪固定治具。
【請求項５】
前記スリットは、前記一方向に沿って、一連のスリットとして形成されていることを特徴とする、請求項１から３のいずれか一項に記載の毛髪固定治具。
【請求項６】
前記第１部材は、スライド機構を有し、
前記櫛の一部は、前記スライド機構に摺動可能に挿入されることで、前記複数の櫛における互いの間隔を任意に調整可能であることを特徴とする、請求項１〜５のいずれか１項に記載の毛髪固定治具。
【発明の詳細な説明】
【技術分野】
【０００１】
本開示は、毛髪固定治具に関する。
【背景技術】
【０００２】
毛髪は、血液循環によって体内の生理活性物質を取り込み、蓄積しながら成長する。毛髪は、１か月に略１ｃｍ成長する。そのため、例えば、毛髪を１ｃｍずつカットして、毛髪１ｃｍごとに含まれる生理活性物質の濃度を観測することで、月ごとの経時的な生理活性物質量の変化を特定することが可能となる。
【０００３】
毛髪を所望の長さにカットするために、特許文献１には、毛髪の長さを客観的に測定するための頭髪測定具が開示されている。また、特許文献２には、櫛およびカット具を一体化した髪カット器が開示されている。
【先行技術文献】
【特許文献】
【０００４】
【特許文献１】国際公開ＷＯ２０１３／１５０５８９号パンフレット（２０１３年１０月１０日国際公開）
【特許文献２】特開２０１５−１２８５５５号公報（２０１５年７月１６日公開）
【発明の概要】
【発明が解決しようとする課題】
【０００５】
しかしながら、特許文献１に記載の頭髪測定具および特許文献２に記載の髪カット器によれば、いずれも毛髪を所望の間隔ごとに切断することはできないという問題点がある。
【０００６】
本開示の一態様は、以上の問題点に鑑みて為されたものであり、毛髪を所望の間隔ごとに切断できる治具を実現することを目的とする。
【課題を解決するための手段】
【０００７】
前記の課題を解決するために、本開示の一態様に係る毛髪固定治具は、人の毛髪を切断するために、前記毛髪を固定する毛髪固定治具であって、複数の歯を有する複数の櫛と、前記複数の櫛が一方向に配列するように連結される第１部材と、前記第１部材に対して前記複数の櫛を固定する固定具とを備え、前記第１部材には、前記固定具が挿入される第１の孔またはスリットが形成されており、前記複数の櫛のそれぞれは、前記固定具によって固定される被固定領域を有しており、前記複数の櫛のそれぞれと対になり前記毛髪を固定する第２部材をさらに備え、前記第２部材には、前記櫛の前記複数の歯のそれぞれが挿入される複数の第２の孔が形成されている。
【発明の効果】
【０００８】
本開示の一態様によれば、毛髪を所望の間隔ごとに切断できる治具を実現することができる。
【図面の簡単な説明】
【０００９】
【図１】実施形態１に係る毛髪固定治具を示す斜視図である。
【図２】（ａ）〜（ｄ）はそれぞれ、実施形態１に係る毛髪固定治具における櫛間隔調整部を示す図であり、（ａ）は正面図、（ｂ）は右側面図、（ｃ）は左側面図、（ｄ）は底面図である。
【図３】（ａ）〜（ｃ）はそれぞれ、実施形態１に係る毛髪固定治具における櫛を示す図であり、（ａ）は正面図、（ｂ）は平面図であり、（ｃ）は櫛が備える歯を示す側面図である。
【図４】（ａ）〜（ｃ）はそれぞれ、実施形態１に係る毛髪固定治具に関し、（ａ）は櫛間隔調整部に櫛が固定された状態を示す断面図であり、（ｂ）は被固定領域を示す模式図であり、（ｃ）は被固定領域と固定部とがネジにより固定される様子を示す模式図である。
【図５】（ａ）〜（ｄ）はそれぞれ、実施形態１に係る毛髪固定治具における毛髪固定部を示す図であり、（ａ）は正面図、（ｂ）は平面図であり、（ｃ）は、櫛が毛髪固定部に挿入された状態を示す模式図であり、（ｄ）は毛髪固定部に形成される孔と、櫛が備える歯とが嵌合した状態を示す断面図である。
【図６】（ａ）〜（ｃ）はそれぞれ、実施形態１に係る毛髪固定方法に関し、（ａ）は櫛を頭皮側に集めた状態を示し、（ｂ）は櫛を任意の間隔に配置した状態を示し、（ｃ）は櫛が毛髪固定部に挿入された状態を示す模式図である。
【図７】（ａ）および（ｂ）はそれぞれ、実施形態１に係る毛髪固定治具に関し、（ａ）は間隔調整補助部が毛髪固定部を保持した状態を示す模式図であり、（ｂ）は（ａ）に示すＡ−Ａ矢視断面図である。
【図８】実施形態１に係る毛髪固定方法に関し、毛髪固定部の間隔を間隔調整補助部により固定した状態を示す模式図である。
【図９】（ａ）〜（ｃ）はそれぞれ、実施形態２に係る毛髪固定治具に関し、（ａ）は櫛間隔調整部に櫛が固定された状態を示す斜視図であり、（ｂ）は櫛間隔調整部を示す右側面図であり、（ｃ）は被固定領域と固定部とがネジにより固定される様子を示す模式図である。
【図１０】（ａ）および（ｂ）はそれぞれ、実施形態３に係る毛髪固定治具に関し、（ａ）は櫛を示す正面図であり、（ｂ）は櫛間隔調整部に櫛が固定された状態を示す断面図である。
【図１１】（ａ）および（ｂ）はそれぞれ、実施形態４に係る毛髪固定治具に関し、（ａ）は櫛を示す断面図であり、（ｂ）は櫛間隔調整部に櫛が固定された状態を示す断面図である。
【発明を実施するための形態】
【００１０】
以下、実施形態１について、図面を参照して詳細に説明する。なお、以下の記載は発明の趣旨をより良く理解させるためのものであり、特に指定のない限り、本開示を限定するものではない。また、本出願における各図面に記載した構成の形状および寸法（長さ、奥行き、幅等）は、実際の形状および寸法を必ずしも反映させたものではなく、図面の明瞭化および簡略化のために適宜変更している。
【００１１】
〔実施形態１〕
＜毛髪固定治具＞
実施形態１について、図１〜図８を参照して詳細に説明する。図１は、本実施形態に係る毛髪固定治具１を示す斜視図である。図１に示すように、毛髪固定治具１は、櫛間隔調整部（第１部材）１０、櫛２０、および毛髪固定部（第２部材）３０を備える。
【００１２】
櫛間隔調整部１０に固定された複数の櫛２０により、人の毛髪Ｈが保持される〔後述の図６等を参照〕。毛髪Ｈを保持した櫛２０を毛髪固定部３０に挿入することで、毛髪Ｈは、櫛２０と毛髪固定部３０とに挟まれて固定される。固定された毛髪Ｈは、櫛２０が櫛間隔調整部１０に固定された間隔に従って切断される。切断された毛髪Ｈは、櫛２０と毛髪固定部３０とに固定された状態により、容易に採取される。
【００１３】
（櫛間隔調整部）
図２は櫛間隔調整部１０を示す図である。図２の（ａ）は正面図であり、図２の（ｂ）は右側面図であり、図２の（ｃ）は左側面図であり、図２の（ｄ）は底面図である。櫛間隔調整部１０は、櫛２０を、毛髪Ｈが生える頭皮Ｓから任意の位置に固定するための、略筒状の部材である〔後述の図６等を参照〕。
【００１４】
図２の（ａ）に示すように、櫛間隔調整部１０の正面には、目盛（印）１１が付されていてもよい。櫛間隔調整部１０に目盛１１が付されている場合、櫛間隔調整部１０の正面とは、目盛１１が付された面を意味する。このような構成によれば、櫛間隔調整部１０によって、頭皮Ｓから櫛間隔調整部１０における任意の位置までの距離を測定可能である。
【００１５】
目盛１１は、メートル法に従い、１ｍｍ間隔により形成される。櫛間隔調整部１０は、長手方向の長さが１０４ｍｍである。なお、目盛の間隔はメートル法に限られず、例えば、インチ法等により形成されてもよい。
【００１６】
図２の（ｂ）に示すように、櫛間隔調整部１０の一方の側面は、複数の孔部（第１の孔）１５が形成されている固定部１２を備える。固定部１２は、前記一方の側面において、複数の孔部１５が形成されている領域である。本実施形態においては、固定部１２が形成される面が、櫛間隔調整部１０の右側面である。
【００１７】
孔部１５は、後述する貫通孔２５と共に、ネジ（固定具）５０を挿通される。これにより、固定部１２と後述する被固定領域２２とが固定される〔図４の（ｂ）参照〕。なお、本実施形態に係る固定具は、ネジ５０に限られず、例えばピン等であってもよい。
【００１８】
孔部１５は櫛間隔調整部１０の右側面において、当該右側面における長手方向の両端からそれぞれ２ｍｍの間隔を残し、その内側の領域に形成される。後述する櫛２０の厚さは４ｍｍであることから、櫛間隔調整部１０の両端からそれぞれ２ｍｍの間隔を設けることで、櫛２０が櫛間隔調整部１０の一端からはみ出すことがない。孔部１５は、前記内側の領域に１１箇所形成される。
【００１９】
図２の（ｃ）に示すように、櫛間隔調整部１０の左側面には、スリット状にスライド機構１３が形成される。スライド機構１３は、櫛間隔調整部１０における長手方向の一端から他端まで連続して形成される。
【００２０】
図２の（ｄ）に示すように、スライド機構１３には、中空部１３ａと、中空部１３ｂとが形成されている。中空部１３ａは、櫛間隔調整部１０の左側面側におけるスリット開口部が形成された、櫛間隔調整部１０における中空空間である。中空部１３ｂは、櫛間隔調整部１０において中空部１３ａよりも右側面側に位置し、櫛間隔調整部１０の正面から背面への方向の幅が、中空部１３ａより長い、櫛間隔調整部１０における中空空間である。中空部１３ａと中空部１３ｂとは、連続して形成される。
【００２１】
このようなスライド機構１３の形状は、後述する被固定領域２２が嵌入されるためのものである〔図４の（ａ）参照〕。すなわち、スライド機構１３の形状は、被固定領域２２の形状に対応して形成される。
【００２２】
（櫛）
図３は櫛２０を示す図である。図３の（ａ）は櫛２０の正面図であり、図３の（ｂ）は平面図であり、図３の（ｃ）は、歯２３を示す側面図である。図３の（ａ）に示すように、櫛２０は、被固定領域２２が形成される胴部２１を備える。胴部２１は、複数の歯２３を備え、複数の歯２３の間には、間隙２４が形成される。間隙２４には、毛髪Ｈが挿通されて整列される。
【００２３】
被固定領域２２は、櫛２０における基端において、歯２３の延伸する方向とは逆方向に、略直方体状に突出して形成される。被固定領域２２は、櫛間隔調整部１０におけるスライド機構１３に、摺動可能に嵌入できる形状である。
【００２４】
このような構成によれば、櫛２０は、櫛間隔調整部１０における任意の位置に摺動できる。これにより、櫛２０の頭皮Ｓに対する相対的位置が固定できる。また、櫛２０が櫛間隔調整部１０に挿入される際に、櫛２０の向きを一定方向（一方向）に固定できる。そのため、複数の櫛２０における歯２３の延伸方向を揃えることができる。また、目盛１１は、複数の櫛２０を配置する間隔を示すため、目盛１１により櫛２０の間隔を正確に決定することが出来る。
【００２５】
図３の（ｂ）に示すように、櫛２０は、被固定領域２２が突出している側の面（上面）における短手方向の幅（厚さ）が狭い形状である。なお、本実施形態において、櫛２０の厚さは４ｍｍである。
【００２６】
歯２３は、正面から見た場合は略長方形状であり、図３の（ｃ）に示すように側面から見た場合は略三角形状である。歯２３は、後述する毛髪固定部３０が備える挿入孔（孔）３１と嵌合する形状として形成される〔図５の（ｂ）参照〕。
【００２７】
（櫛間隔調整部と櫛との固定態様）
図４は、毛髪固定治具１に関し、図４の（ａ）は櫛間隔調整部１０に櫛２０が固定された状態を示す断面図であり、図４の（ｂ）は被固定領域２２を示す模式図であり、図４の（ｃ）は被固定領域２２と固定部１２とがネジ５０により固定される様子を示す模式図である。図４の（ａ）に示すように、被固定領域２２は、櫛間隔調整部１０におけるスライド機構１３に、摺動可能に嵌入される。
【００２８】
ここで、図４の（ｂ）および（ｃ）に示すように、被固定領域２２には貫通孔２５が形成されている。また、櫛間隔調整部１０に嵌入された櫛２０は、櫛間隔調整部１０における孔部１５が設けられた位置において、孔部１５および貫通孔２５にネジ５０が挿通されることで、固定部１２と被固定領域２２とが固定される。ここで、孔部１５は櫛間隔調整部１０に複数設けられているため、櫛２０は、櫛間隔調整部１０の任意の位置に固定することができる。そのため、複数の櫛２０を櫛間隔調整部１０に固定する場合、互いの間隔を任意に調整することができる。
【００２９】
（毛髪固定部）
図５は、毛髪固定治具１における毛髪固定部３０を示す図である。図５の（ａ）は毛髪固定部３０の正面図であり、図５の（ｂ）は平面図であり、図５の（ｃ）は、櫛２０が毛髪固定部３０に挿入された状態を示す模式図であり、図５の（ｄ）は毛髪固定部３０に形成される挿入孔３１と、櫛２０が備える歯２３とが嵌合した状態を示す断面図である。
【００３０】
図５の（ａ）〜（ｃ）に示すように、毛髪固定部３０は、略直方体状に形成され、その一面には複数の挿入孔（第２の孔）３１が整列して形成される。なお、挿入孔３１が形成される面が、毛髪固定部３０の上面である。毛髪固定部３０は、上面における短手方向の長さ（厚さ）が、櫛２０の厚さと同じ４ｍｍとして形成される。
【００３１】
挿入孔３１には、櫛２０が備える歯２３のそれぞれが挿入される。すなわち、櫛２０が毛髪固定部３０に挿入される際には、歯２３のそれぞれが挿入孔３１に挿入される。なお、挿入孔３１は、歯２３の数と同数の挿入孔３１が形成される。
【００３２】
図５の（ｄ）に示すように、挿入孔３１は、歯２３の形状に合わせたテーパ形状として形成される。したがって、歯２３がスムーズに挿入孔３１に挿入されることができる。また、櫛２０の間隙２４に毛髪Ｈが挿通されていた場合、櫛２０が毛髪固定部３０に挿入されることで、毛髪Ｈを毛髪固定部３０と櫛２０とにより挟んで固定することができる。
【００３３】
毛髪固定部３０は、櫛２０のそれぞれと対になるように、櫛２０と同数備えられることが好ましい。このような構成によれば、全ての櫛２０に毛髪固定部３０が挿入されるため、毛髪Ｈを良好に固定することができる。
【００３４】
＜毛髪固定治具による毛髪固定方法＞
毛髪固定治具１による毛髪固定方法について、図６を参照して以下に説明する。図６の（ａ）は櫛２０を頭皮Ｓ側に集めた状態を示し、図６（ｂ）は櫛２０を任意の間隔に配置した状態を示し、図６の（ｃ）は櫛２０を毛髪固定部３０に挿入した状態を示す模式図である。
【００３５】
まず、図６の（ａ）に示すように、櫛間隔調整部１０に複数の櫛２０を嵌入する。このとき、櫛２０は頭皮Ｓ側に集められ、櫛２０に毛髪Ｈを挿通する（毛髪挿通工程）。櫛２０は、例えば、手で押さえるなどして、櫛間隔調整部１０から抜け落ちないように保持される。なお、櫛２０は、櫛間隔調整部１０に頭皮Ｓ側から嵌入されてもよく、その逆側から嵌入されてもよい。
【００３６】
次に、図６の（ｂ）に示すように、櫛２０は、互いに任意の間隔となるように、スライド機構１３によって櫛間隔調整部１０中を摺動する（間隔調整工程）。櫛２０の位置は、櫛間隔調整部１０が備える目盛１１を目安に定められる。毛髪Ｈは、櫛２０の摺動により梳かれることで、直線状に伸張される。
【００３７】
次に、櫛２０をネジ５０によって櫛間隔調整部１０に固定する（櫛固定工程）。これにより、複数の櫛２０における互いの間隔が固定される。次に、図６の（ｃ）に示すように、毛髪固定部３０を櫛２０に挿入する。これにより、櫛２０が保持していた毛髪Ｈは、櫛２０と毛髪固定部３０とに挟まれて固定される（毛髪固定工程）。
【００３８】
このように、毛髪固定治具１により固定された毛髪Ｈは、複数の櫛２０の間の任意の位置で切断することができる。そのため、任意の長さに切断された毛髪Ｈが得られる。前記任意の位置は、固定された櫛２０の位置を目安に定められてもよい。また、櫛２０の位置とは無関係に、櫛間隔調整部１０が備える目盛１１によって定められてもよい。
【００３９】
切断された毛髪Ｈは、毛髪固定治具１に固定されたまま保持される。そのため、切断された毛髪Ｈの採取が容易である。また、切断された毛髪Ｈが、どの位置の毛髪Ｈであるか（頭皮Ｓから、どれだけ離れた部分の毛髪Ｈであるか）、容易に判別できる。
【００４０】
このような構成によれば、毛髪Ｈの任意の位置において、任意の長さに切断された毛髪Ｈが得られる。切断された毛髪Ｈは、例えば、これに含まれる生理活性物質の測定に使用できる。ここでいう生理活性物質とは、例えばコルチゾールであるが、これに限定されない。
【００４１】
なお、毛髪Ｈは１か月に略１ｃｍ成長する。そのため、例えば、頭皮Ｓから１ｃｍごとに毛髪Ｈを切断して、それぞれの切断された毛髪Ｈを採取する。切断された毛髪Ｈに含まれる生理活性物質量を測定することで、月ごとの経時的な生理活性物質量の変化を観測することができる。
【００４２】
なお、櫛２０の数は、毛髪Ｈが切断される位置と同数以上備えられることが好ましい。このような構成によれば、複数の櫛２０の間をそれぞれ１回切断すればよい位置に、櫛２０を配置できる。したがって、切断された毛髪Ｈの各々は、いずれも櫛２０と毛髪固定部３０とで固定された状態が保たれる。
【００４３】
（間隔調整補助部）
図７は、毛髪固定治具１に関し、図７の（ａ）は間隔調整補助部３５が毛髪固定部３０を保持した状態を示す模式図であり、図７の（ｂ）は、図７の（ａ）に示すＡ−Ａ矢視断面図である。図７の（ａ）および（ｂ）に示すように、間隔調整補助部３５は、毛髪固定部３０の間隔を固定する部材である。間隔調整補助部３５には、第１スライド機構３６が形成される。
【００４４】
第１スライド機構３６は、毛髪固定部３０における側面側の端部が挿入できる、凹型のスリット形状として形成される。第１スライド機構３６に、複数の毛髪固定部３０が摺動可能に挿入され、互いの間隔を任意に調整できる。
【００４５】
間隔調整補助部３５は、１対の間隔調整補助部３５ａ・３５ｂからなる。毛髪固定部３０における側面側の両端がそれぞれ、間隔調整補助部３５ａ・３５ｂが備える第１スライド機構３６に挿入されることで、毛髪固定部３０が安定して保持される。なお、間隔調整補助部３５は、１対ではなく単一の間隔調整補助部３５ａからなり、毛髪固定部３０における側面側の一端のみ保持する態様であってもよい。
【００４６】
なお、複数の毛髪固定部３０における互いの間隔を正確に調整するために、間隔調整補助部３５に目盛等の印が付されていてもよい。
【００４７】
本実施形態における毛髪固定方法において、間隔調整補助部３５を用いる方法について、図８を参照して以下に説明する。図８は、毛髪固定部３０の間隔を間隔調整補助部３５により固定した状態を示す模式図である。
【００４８】
まず、図８に示すように、複数の毛髪固定部３０が、互いに任意の間隔によって間隔調整補助部３５に保持される。間隔調整補助部３５に保持された毛髪固定部３０に、毛髪Ｈを保持した櫛２０が挿入される。このとき、櫛２０の位置は、毛髪固定部３０の位置に合わせて移動される。次に、毛髪固定部３０に挿入された櫛２０は、ネジ５０によって櫛間隔調整部１０に固定される。
【００４９】
このような構成によれば、櫛２０に毛髪Ｈを保持させる前に、複数の毛髪固定部３０における互いの間隔を、間隔調整補助部３５により調整しておくことができる。そのため、複数の櫛２０における互いの間隔を容易に調整できる。
【００５０】
＜変形例＞
本実施形態において、孔部１５は１１箇所に形成されるとして説明した。しかし、孔部１５はいかなる数形成されもよい。ただし、孔部１５が形成される数は、使用される櫛２０の数よりも多いことが好ましい。これにより、全ての櫛２０を、間隔を調整して櫛間隔調整部１０に固定することができる。
【００５１】
また、孔部１５と、櫛間隔調整部１０の一端との距離は、２ｍｍに限られない。櫛２０における厚さの半分の長さに対応する長さ以上であれば、いかなる長さであってもよい。
【００５２】
また、孔部１５における互いの間隔は、いかなる間隔であってもよい。例えば、櫛間隔調整部１０において孔部１５が形成される領域の長手方向における長さを、孔部１５が形成される数に従って等分した間隔によって、孔部１５が形成されてもよい。
【００５３】
また、櫛間隔調整部１０における長手方向の長さは、１０４ｍｍに限られず、いかなる長さであってもよい。例えば、長髪の人と短髪の人とで、使用される櫛間隔調整部１０の長さが異なってもよい。
【００５４】
また、本実施形態において、スライド機構１３は、櫛間隔調整部１０の左側面に形成されるものとして説明した。しかし、スライド機構１３は櫛間隔調整部１０の右側面に形成されてもよい。例えば、右利き用と左利き用とで、スライド機構１３が形成される側面が異なる、２種類の毛髪固定治具１が準備されてもよい。
【００５５】
また、本実施形態において、毛髪固定部３０の大きさは、歯２３の全体を収容可能な大きさに形成されるものとして説明した。しかし、毛髪固定部３０において、歯２３が挿入される方向の長さが、歯２３の長さよりも短くてもよい。この場合、挿入孔３１は毛髪固定部３０を貫通する形状として形成される。このような構成によれば、毛髪固定部３０の大きさを小型化することができる。合わせて、間隔調整補助部３５の大きさも小型化することができる。
【００５６】
また、本実施形態において、間隔調整補助部３５は、毛髪固定部３０における側面側の端部の全体が第１スライド機構３６に挿入される形状として説明した。しかし、例えば、毛髪固定部３０における側面に突起が形成され、当該突起が第１スライド機構３６に挿入される形状により、間隔調整補助部３５が形成されてもよい。このような構成によれば、第１スライド機構３６の大きさは、前記突起が挿入可能な大きさであればよい。そのため、間隔調整補助部３５の大きさを小型化することができる。
【００５７】
〔実施形態２〕
本開示の他の実施形態について、以下に説明する。なお、説明の便宜上、上記実施形態にて説明した部材と同じ機能を有する部材については、同じ符号を付記し、その説明を繰り返さない。
【００５８】
実施形態２について、図９を参照して以下に説明する。図９は、毛髪固定治具１０１を示す図である。図９の（ａ）は櫛間隔調整部（第１部材）１１０に櫛１２０が固定された状態を示す斜視図であり、図９の（ｂ）は櫛間隔調整部１１０を示す右側面図であり、図９の（ｃ）は被固定領域１２２と固定部１１２とがネジ（固定具）１５０により固定される様子を示す模式図である。図９の（ａ）〜（ｃ）に示すように、毛髪固定治具１０１が備える固定部１１２には、孔部１５ではなく、スリット１１５が形成されている点において、毛髪固定治具１と異なる。
【００５９】
スリット１１５は、櫛間隔調整部１１０の右側面において、櫛間隔調整部１１０の一端から長手方向に１ｃｍ内側から、櫛間隔調整部１１０の他端までの方向（一方向）に沿って、一連のスリットとして形成される。すなわち、毛髪固定治具１０１において、固定部１１２は、櫛間隔調整部１１０の右側面における、スリット１１５が形成されている領域である。また、スリット１１５は、スライド機構１１３と連続して形成される。
【００６０】
また、スライド機構１１３は、スリット１１５と同様に、櫛間隔調整部１１０の一端から長手方向に１ｃｍの間には形成されていない。このような構成によれば、櫛間隔調整部１１０の構造が安定化する。
【００６１】
スリット１１５における短手方向の長さは、ネジ１５０のネジ頭の直径よりも短い。そのため、スライド機構１１３に挿入された櫛１２０は、ネジ１５０によりスリット１１５および貫通孔１２５を螺合することで固定できる。
【００６２】
また、固定部１１２には、孔部１５と異なり、スリット１１５が形成されている。そのため、櫛１２０を固定する位置は、孔部１５が形成される位置に限定されない。したがって、スリット１１５によれば、櫛１２０を固定する位置をより自由に定めることができる。
【００６３】
なお、スリット１１５が形成される位置は、櫛間隔調整部１１０の一端から長手方向に１ｃｍ内側からに限定されない。例えば、より頭皮Ｓ側の毛髪Ｈを採取する必要がある場合には、スリット１１５は、櫛間隔調整部１１０の一端から長手方向に０．５ｃｍ内側から形成されてもよいし、さらに頭皮Ｓ側に近い毛髪Ｈを採取する必要があれば、スリット１１５は、櫛間隔調整部１１０の一端から長手方向に０．２５ｃｍ内側から形成されてもよい。
【００６４】
〔実施形態３〕
実施形態３について、図１０を参照して以下に説明する。図１０は、毛髪固定治具２０１を示す図である。図１０の（ａ）は櫛２２０を示す正面図であり、図１０の（ｂ）は櫛間隔調整部（第１部材）２１０に櫛２２０が固定された状態を示す断面図である。図１０の（ａ）および（ｂ）に示すように、毛髪固定治具２０１が備える被固定領域２２２は、貫通孔２５ではなく、突起２２５を備える点において、毛髪固定治具１と異なる。
【００６５】
突起２２５は、櫛間隔調整部２１０が備える固定部２１２に形成される孔部（第１の孔）２１５に挿入される。突起２２５によれば、櫛２２０を櫛間隔調整部２１０に固定する際に、ネジ５０を用いてねじ止めする必要がない。すなわち、本実施形態において、突起２２５は固定具として機能する。そのため、櫛２２０を櫛間隔調整部２１０に固定する操作が容易になる。また、固定具としてネジ５０を備える必要がない。
【００６６】
本実施形態において、スライド機構２１３の中空部２１３ｂにおける櫛２２０の延在方向の長さＬ１は、被固定領域２２２における当該方向の長さＬ２と、突起２２５における当該方向の長さＬ３を加算した長さよりも長い。換言すれば、スライド機構２１３、被固定領域２２２および突起２２５は、Ｌ１＞Ｌ２＋Ｌ３の関係を満たす形状として形成される。
【００６７】
前記関係を満たす構成によれば、スライド機構２１３に挿入された被固定領域２２２は、スライド機構２１３内をスムーズに摺動されることができる。また、孔部２１５に突起２２５が挿入された状態において、櫛２２０を櫛２２０の延伸方向に引くことで、突起２２５を孔部２１５から容易に外すことができる。
【００６８】
〔実施形態４〕
実施形態４について、図１１を参照して以下に説明する。図１１は、毛髪固定治具３０１を示す図である。図１１の（ａ）は櫛３２０を示す断面図であり、図１１の（ｂ）は櫛間隔調整部（第１部材）３１０に櫛３２０が固定された状態を示す断面図である。図１１の（ａ）に示すように、毛髪固定治具３０１が備える被固定領域３２２は、貫通孔２５ではなく、突起３２５を備える点において、毛髪固定治具１と異なる。突起３２５は、実施形態３に係る突起２２５と同様に、固定具として機能する。
【００６９】
また、図１１の（ｂ）に示すように、毛髪固定治具３０１は、突起３２５が、突出部３２５ａと、弾性体３２５ｂとからなる点において、毛髪固定治具２０１と異なる。弾性体３２５ｂは、櫛間隔調整部３１０の延在方向と垂直な方向に弾性力が働くバネである。
【００７０】
突出部３２５ａは、櫛３２０における被固定領域３２２に没入して形成される弾性体３２５ｂの外端に延設される。突出部３２５ａは、被固定領域３２２方向に押圧されることで、弾性体３２５ｂが弾性収縮し、被固定領域３２２内部に没入される。前記押圧がなくなると、弾性体３２５ｂに働く弾性力によって、没入された突出部３２５ａが、被固定領域３２２内部から出現する。
【００７１】
そのため、被固定領域３２２をスライド機構３１３に嵌入するときは、突出部３２５ａをスライド機構３１３の内壁に押圧することにより、突出部３２５ａを被固定領域３２２内部に没入させることができる。そして、櫛３２０を任意の位置に移動させたら、突出部３２５ａの位置を孔部（第１の孔）３１５に合わせることで、突出部３２５ａが出現して孔部３１５に挿入される。これにより、櫛３２０が櫛間隔調整部３１０に固定される。
【００７２】
このような構成によれば、スライド機構３１３に嵌入された被固定領域３２２は、スライド機構３１３内をスムーズに摺動することができる。また、孔部３１５に挿入された突出部３２５ａを、細い棒等によって内側に押圧することで、孔部３１５から突出部３２５ａを容易に外すことができる。
【００７３】
なお、孔部３１５の直径は、櫛間隔調整部３１０の一端に近いほど短くしてもよい。これに対応して、櫛３２０は、様々な孔部３１５の直径に対応した直径を備える突出部３２５ａを有するように、複数備えられることが好ましい。
【００７４】
このような構成によれば、複数の櫛３２０における互いの間隔を定めたら、当該間隔に沿った位置の孔部３１５に対応する櫛３２０を選択して、順次櫛間隔調整部３１０に固定していくことができる。これにより、櫛３２０を、最初に定めた間隔により、間違えることなく櫛間隔調整部３１０に固定することができる。
【００７５】
また、弾性体３２５ｂはバネに限られず、伸縮性のゴム等のいかなる弾性体であってもよい。
【００７６】
〔付記事項〕
本開示は上述した各実施形態に限定されるものではなく、請求項に示した範囲で種々の変更が可能であり、異なる実施形態にそれぞれ開示された技術的手段を適宜組み合わせて得られる実施形態についても本開示の技術的範囲に含まれる。さらに、各実施形態にそれぞれ開示された技術的手段を組み合わせることにより、新しい技術的特徴を形成することができる。
【符号の説明】
【００７７】
１、１０１、２０１、３０１  毛髪固定治具
１０、１１０、２１０、３１０  櫛間隔調整部（第１部材）
１１  目盛（印）
１２、１１２、２１２  固定部
１５、２１５、３１５  孔部（第１の孔）
１３、１１３、２１３、３１３  スライド機構
２０、１２０、２２０、３２０  櫛
２２、１２２、２２２、３２２  被固定領域
２５  貫通孔
３０  毛髪固定部（第２部材）
３１  挿入孔（第２の孔）
３５、３５ａ、３５ｂ  間隔調整補助部
３６  第１スライド機構
５０、１５０  ネジ（固定具）
１１５  スリット
２２５、３２５  突起（固定具）
３２５ａ  突出部
３２５ｂ  弾性体
Ｈ  毛髪
Ｓ  頭皮
【図１】
2020058514.tif 000003
【図２】
2020058514.tif 000004
【図３】
2020058514.tif 000005
【図４】
2020058514.tif 000006
【図５】
2020058514.tif 000007
【図６】
2020058514.tif 000008
【図７】
2020058514.tif 000009
【図８】
2020058514.tif 000010
【図９】
2020058514.tif 000011
【図１０】
2020058514.tif 000012
【図１１】
2020058514.tif 000013